(57)【要約】【課題】軽量で持ち運びが容易な折り畳み式テントを提供する。【解決手段】屋根フレーム３０と、屋根フレーム３０を支持する少なくとも３本の支柱１０と、隣接する支柱１０同士を連結する横方向トラスフレーム２０とを備え、屋根フレーム３０は、繊維強化プラスチックにより形成されている。支柱１０は、それぞれ、上端部に設けられた固定ブラケット１３ａと、固定ブラケット１３ａよりも下方側において摺動可能に設けられた可動ブラケット１３ｂとを備え、屋根フレーム３０は、各支柱１０の固定ブラケット１３ａに軸支された複数の屋根フレーム本体３２と、一端が各支柱１０の可動ブラケット１３ｂに軸支され、他端が屋根フレーム本体３２に連結された複数の屋根用支持フレーム３４とを備えており、屋根フレーム本体３２及び屋根用支持フレーム３４が繊維強化プラスチックにより形成されている。【選択図】図１
0003220933.tif 000002
【実用新案登録請求の範囲】
【請求項１】
屋根フレームと、
前記屋根フレームを支持する少なくとも３本の支柱と、
隣接する前記支柱同士を連結する横方向フレームと
を備え、
前記屋根フレームは、繊維強化プラスチックにより形成されている
ことを特徴とする折り畳み式テント。
【請求項２】
前記支柱は、それぞれ、上端部に設けられた固定ブラケットと、該固定ブラケットよりも下方側において摺動可能に設けられた可動ブラケットとを備え、
前記屋根フレームは、各支柱の前記固定ブラケットに軸支された複数の屋根フレーム本体と、一端が各支柱の前記可動ブラケットに軸支され、他端が前記屋根フレーム本体に連結された複数の屋根用支持フレームとを備えており、
前記屋根フレーム本体及び前記屋根用支持フレームが繊維強化プラスチックにより形成されている
ことを特徴とする請求項１に記載の折り畳み式テント。
【請求項３】
前記屋根フレームは、軸方向に連続する複数の棒状フレームと、該複数の棒状フレームを互いに回動して折り畳み可能となるよう連結させる中間連結部材とを備えており、
前記複数の棒状フレームが繊維強化プラスチックにより形成されている
ことを特徴とする請求項１又は２に記載の折り畳み式テント。
【考案の詳細な説明】
【技術分野】
【０００１】
本考案は、折り畳み式テントに関するものである。
【背景技術】
【０００２】
従来、図２に示すように、四隅に立設される４本の支柱１０２と、周方向に隣接する支柱１０２同士を連結する伸縮可能な横方向トラスフレーム１０４と、対角線上に位置する支柱１０２同士を連結する屋根フレーム１０６と、横方向トラスフレーム１０４及び屋根フレーム１０６を覆うよう張設される天幕１０８とを備える折り畳み式テント１００が知られている（特許文献１）。
【先行技術文献】
【特許文献】
【０００３】
【特許文献１】特開２００３−２２７２４９号公報
【考案の概要】
【考案が解決しようとする課題】
【０００４】
この種の折り畳み式テント１００において、支柱１０２、横方向トラスフレーム１０４及び屋根フレーム１０６は、テントとして耐え得る強度を確保するために、金属製の管状部材で形成されることが一般的である。このため、従来の折り畳み式テント１００では、重量があり、持ち運びが不便であるという問題がある。
【０００５】
そこで、本考案は、軽量で持ち運びが容易な折り畳み式テントを提供することを目的とする。
【課題を解決するための手段】
【０００６】
以上の目的を達成するため、本考案に係る折り畳み式テントは、屋根フレームと、前記屋根フレームを支持する少なくとも３本の支柱と、隣接する前記支柱同士を連結する横方向フレームとを備え、前記屋根フレームは、繊維強化プラスチックにより形成されていることを特徴とする。
【０００７】
本考案に係る折り畳み式テントにおいて、前記支柱は、それぞれ、上端部に設けられた固定ブラケットと、該固定ブラケットよりも下方側において摺動可能に設けられた可動ブラケットとを備え、前記屋根フレームは、各支柱の前記固定ブラケットに軸支された複数の屋根フレーム本体と、一端が各支柱の前記可動ブラケットに軸支され、他端が前記屋根フレーム本体に連結された複数の屋根用支持フレームとを備えており、前記屋根フレーム本体及び前記屋根用支持フレームが繊維強化プラスチックにより形成されることが好ましい。
【０００８】
また、本考案に係る折り畳み式テントにおいて、前記屋根フレームは、軸方向に連続する複数の棒状フレームと、該複数の棒状フレームを互いに回動して折り畳み可能となるよう連結させる中間連結部材とを備えており、前記複数の棒状フレームが繊維強化プラスチックにより形成されることが好ましい。
【考案の効果】
【０００９】
本考案によれば、軽量で持ち運びが容易な折り畳み式テントを提供することができる。
【図面の簡単な説明】
【００１０】
【図１】本考案の一実施形態に係る折り畳み式テントを概略的に示す斜視図である。
【図２】従来の折り畳み式テントを概略的に示す正面図である。
【考案を実施するための形態】
【００１１】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１２】
本実施形態に係る折り畳み式テント１は、図１に示すように、天幕（図示せず）を展張して支持可能な屋根フレーム３０と、屋根フレーム３０を支持する複数の支柱１０と、周方向に隣接する支柱１０同士を連結する横方向トラスフレーム２０とを備えており、折り畳み可能かつ展開時に自立可能に構成されている。
【００１３】
支柱１０は、平面四方形の四隅に位置するよう４本設けられている。各支柱１０は、長尺な筒状に形成された外側パイプ部材１２ａと、外側パイプ部材１２ａ内に入れ子状に収容され、外側パイプ部材１２ａの軸方向に沿って摺動可能な内側パイプ部材１２ｂと、外側パイプ部材１２ａの軸方向の所定又は任意の位置において外側パイプ部材１２ａに対して内側パイプ部材１２ｂを固定する固定部材１２ｃとを備えている。外側パイプ部材１２ａ及び内側パイプ部材１２ｂは、金属製の管状部材からなる。固定部材１２ｃは、少なくとも、外側パイプ部材１２ａから内側パイプ部材１２ｂが略完全に露出した伸長状態と、外側パイプ部材１２ａ内に内側パイプ部材１２ｂが略完全に収納された収納状態とにおいて内側パイプ部材１２ｂを固定し、外側パイプ部材１２ａに対する内側パイプ部材１２ｂの相対移動を規制するよう構成されている。
【００１４】
各支柱１０には、その上端部に、固定ブラケット１３ａが固設されており、この固定ブラケット１３ａよりも下方側に、可動ブラケット１３ｂが摺動可能に取り付けられている。固定ブラケット１３ａには、横方向トラスフレーム２０の長手方向の各端部における上側端部及び屋根フレーム３０の後述する屋根フレーム本体３２が回動自在に軸支されている。可動ブラケット１３ｂには、横方向トラスフレーム２０の長手方向の各端部における下側端部及び屋根フレーム３０の後述する屋根用支持フレーム３４が回動自在に軸支されている。
【００１５】
各横方向トラスフレーム２０は、２本の棒状フレーム２１ａ，２１ｂを交差させ、その交差部を軸によって回動自在に連結することで形成されたＸ字状のフレーム体２１を長手方向に複数（本実施形態では２つ）連結させ、これにより全体としてパンタグラフのように伸縮可能に構成された所謂トラスフレームである。棒状フレーム２１ａ，２１ｂは、金属製の管状部材からなる。棒状フレーム２１ａ，２１ｂは、折り畳み時の収容性の観点から、それぞれ、支柱１０の外側パイプ部材１２ａの軸方向の長さと略同じ又はこれよりも短い軸方向の長さを有することが好ましい。
【００１６】
屋根フレーム３０は、対角線上に位置する支柱１０同士を連結することでドーム型の屋根構造を形成するよう構成されている。具体的には、屋根フレーム３０は、一端が各支柱１０の固定ブラケット１３ａに軸支された４本の屋根フレーム本体３２と、折り畳み式テント１の平面視での中心位置に設けられ、４本の屋根フレーム本体３２の他端が回動可能に連結されたセンター連結部材３６と、一端が各支柱１０の可動ブラケット１３ｂに軸支され、他端が屋根フレーム本体３２の後述する棒状フレーム３２ａに連結された４本の屋根用支持フレーム３４とを備えている。
【００１７】
各屋根フレーム本体３２は、軸方向に連続する複数（本実施形態では２本）の棒状フレーム３２ａ，３２ｂと、該２本の棒状フレーム３２ａ，３２ｂを互いに回動して折り畳み可能となるよう連結させる中間連結部材３３とを備えている。棒状フレーム３２ａ，３２ｂは、折り畳み時の収容性の観点から、それぞれ、支柱１０の外側パイプ部材１２ａの軸方向の長さと略同じ又はこれよりも短い軸方向の長さを有することが好ましい。
【００１８】
棒状フレーム３２ａ，３２ｂ及び屋根用支持フレーム３４は、繊維強化プラスチック（Ｆｉｂｅｒ−Ｒｅｉｎｆｏｒｃｅｄ  Ｐｌａｓｔｉｃｓ，ＦＲＰ）からなる。繊維強化プラスチックとしては、例えば、ガラス繊維をプラスチックの中に含有させることで強度を向上させたガラス繊維強化プラスチック（Ｇｌａｓｓ−Ｆｉｂｅｒ−Ｒｅｉｎｆｏｒｃｅｄ  Ｐｌａｓｔｉｃｓ，ＧＦＲＰ）や、炭素繊維をプラスチックの中に含有させることで強度を向上させた炭素繊維強化プラスチック（Ｃａｒｂｏｎ−Ｆｉｂｅｒ−Ｒｅｉｎｆｏｒｃｅｄ  Ｐｌａｓｔｉｃｓ，ＣＦＲＰ）等を好適に用いることが可能であるが、これらの素材に限定されるものではなく、種々の繊維強化プラスチックを採用可能である。
【００１９】
天幕は、屋根フレーム３０の上部と、横方向トラスフレーム２０の側部とを覆うことが可能な大きさ及び形状を有するシート材であり、展張状態で屋根フレーム３０に取り付けられるよう構成されている。
【００２０】
以上の構成を備える折り畳み式テント１は、４本の支柱１０を互いに離間させることで、横方向トラスフレーム２０を伸長させ、これによって可動ブラケット１３ｂを固定ブラケット１３ａに接近する方向に向けて摺動させることで、屋根用支持フレーム３４によって屋根フレーム本体３２を展開させるよう構成されている。すなわち、本実施形態に係る折り畳み式テント１は、４本の支柱１０を互いに離間させるという動作によって、横方向トラスフレーム２０の伸長と、屋根フレーム３０の展開とを連動して実現するように構成されている。
【００２１】
また、折り畳み式テント１は、４本の支柱１０を互いに接近させることで、横方向トラスフレーム２０を収縮させ、これによって可動ブラケット１３ｂを固定ブラケット１３ａから離間する方向に向けて摺動させることで、屋根用支持フレーム３４によって屋根フレーム本体３２を折り畳むよう構成されている。すなわち、本実施形態に係る折り畳み式テント１は、４本の支柱１０を互いに接近させるという動作によって、横方向トラスフレーム２０の収縮と、屋根フレーム３０の折り畳みとを連動して実現するように構成されている。そして、本実施形態に係る折り畳み式テント１は、このように横方向トラスフレーム２０を収縮させ、屋根フレーム３０を折り畳んだ状態において、各支柱１０の内側パイプ部材１２ｂを外側パイプ部材１２ａ内に略完全に収納させることにより、小型化させて持ち運ぶことが可能に構成されている。
【００２２】
以上のとおり、本実施形態に係る折り畳み式テント１は、屋根フレーム３０と、屋根フレーム３０を支持する少なくとも３本の支柱１０と、隣接する支柱１０同士を連結する横方向トラスフレーム（横方向フレーム）とを備え、屋根フレーム３０が繊維強化プラスチックからなるものである。このような構成を有する折り畳み式テント１によれば、例えば屋根フレーム３０が金属製の管状部材からなるものと比較して、軽量で持ち運びが容易であるという利点を有する。また、屋根フレーム３０を繊維強化プラスチックで構成することにより、テントとして耐え得る十分な強度を確保することが可能である。
【００２３】
以上、本考案の好適な実施形態について説明したが、本考案の技術的範囲は、上述した実施形態に記載の範囲には限定されない。上記各実施形態には、多様な変更又は改良を加えることが可能である。
【００２４】
例えば、上述した実施形態では、支柱１０が４本設けられ、これら４本の支柱１０によって平面四方形状の収容空間が形成されるものとして説明したが、これに限定されず、３本の支柱１０によって平面三角形状の収容空間が形成されるとしても良いし、５本以上の支柱１０によって平面五角形以上の形状の収容空間が形成されるとしても良い。
【００２５】
上述した実施形態では、横方向トラスフレーム２０がパンタグラフのように伸縮自在なトラスフレームであるものとして説明したが、これに限定されず、折り畳み式テント１を折り畳むことが可能な構成であれば、種々のフレーム構造を採用することが可能である。
【符号の説明】
【００２６】
１  折り畳み式テント、１０  支柱、１２ａ  外側パイプ部材、１２ｂ  内側パイプ部材、１２ｃ  固定部材、１３ａ  固定ブラケット、１３ｂ  可動ブラケット、２０  横方向フレーム、２１  フレーム体、２１ａ，２１ｂ  棒状フレーム、３０  屋根フレーム、３２  屋根フレーム本体、３２ａ，３２ｂ  棒状フレーム、３３  中間連結部材、３４  屋根用支持フレーム、３６  センター連結部材
【図１】
0003220933.tif 000003
【図２】
0003220933.tif 000004